【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
ソレノイド動作バルブ機構であって、
ソレノイドケースと、
前記ソレノイドケースに接続され、流入ポートを有するバルブ本体と、
前記ソレノイドケースに接続されて磁束を伝達する磁極片と、
前記バルブ本体中に摺動自在に配され、前記磁束の存在下でバルブ閉位置からバルブ開位置に移動可能な一体とされたバルブ部材兼電機子と、
前記流入ポートで加圧流体と連通する前記バルブ部材兼電機子の第一端面の第一表面領域と、
前記バルブ開位置において前記加圧流体と連通する前記第一表面領域に対向する前記バルブ部材兼電機子のラジアルフランジ部の端部壁とを備え、
前記第一表面領域は前記端部壁の表面領域とほぼ等しくされ、前記第一表面領域は、前記第一表面領域および前記端部壁の表面領域双方に前記加圧流体が作用することにより、前記バルブ開位置で前記バルブ部材兼電機子のバルブ開圧力均衡状態を形成することを特徴とするソレノイド動作バルブ機構。
【請求項２】
請求項１に記載のソレノイド動作バルブ機構であって、
前記バルブ本体中に形成されるバルブシートと、
前記第一表面領域を形成する前記バルブ部材兼電機子のピストンとを備えることを特徴とするソレノイド動作バルブ機構。
【請求項３】
請求項２に記載のソレノイド動作バルブ機構であって、
前記バルブシートと当接する前記バルブ閉位置で前記加圧流体と連通する第二表面領域を形成する第一側面を有する弾性弁体を備え、
前記第一表面領域は前記第二表面領域とほぼ等しくされ、前記第一および第二表面領域に前記加圧流体が作用することにより前記バルブ閉位置において圧力均衡状態を形成することを特徴とするソレノイド動作バルブ機構。
【請求項４】
請求項３に記載のソレノイド動作バルブ機構であって、
前記バルブ本体は、
シリンダポートと、
前記バルブ開位置で前記流入ポートと前記シリンダポートとの間を連通するシリンダポート流路とを有することを特徴とするソレノイド動作バルブ機構。
【請求項５】
請求項４に記載のソレノイド動作バルブ機構であって、
前記バルブ本体に螺合され前記バルブ部材兼電機子を摺動自在に受ける軸方向調整可能保持具を備え、前記保持具の一部により第二バルブシートが形成され、前記保持具の軸方向調整は前記第二バルブシートを軸方向に再配置するよう操作することを特徴とするソレノイド動作バルブ機構。
【請求項６】
請求項５に記載のソレノイド動作バルブ機構であって、 
前記バルブ本体に形成される排出ポートと、
前記バルブ部材兼電機子中のキャビティとして形成される排出ポート室とを備え、前記排出ポート室により前記バルブ閉位置において前記排出ポートと前記シリンダポートとが連通することを特徴とするソレノイド動作バルブ機構。
【請求項７】
請求項６に記載のソレノイド動作バルブ機構であって、
前記保持具と前記バルブ本体との間に配された第一および第二Ｏリングを備え、前記第一および第二Ｏリングは前記排出ポートを中心に対向配置され、前記バルブ開位置において前記排出ポートを介して流体の伝達を防ぐ流体シールを形成するよう動作することを特徴とするソレノイド動作バルブ機構。
【請求項８】
請求項１に記載のソレノイド動作バルブ機構であって、 
前記磁極片を前記ソレノイドケースに調整可能に接続するよう動作し、かつ前記磁極片の軸方向変位を許容する螺合接続部と、
前記ソレノイドケース内に配され、通電時に前記磁極片を通して磁束を形成し、前記バルブ開方向に前記バルブ部材兼電機子を前記磁極片に向けて牽引するコイルと、を有することを特徴とするソレノイド動作バルブ機構。
【請求項９】
請求項８に記載のソレノイド動作バルブ機構であって、
前記バルブ開位置において前記磁極片と前記バルブ部材兼電機子との間に形成される調整可能な空隙により規定される前記バルブ部材兼電機子の全軸方向ストロークを有し、前記磁極片は前記螺合接続部を用いて軸方向に調整されて前記空隙を変更可能であることを特徴とするソレノイド動作バルブ機構。
【請求項１０】
請求項１に記載のソレノイド動作バルブ機構であって、
前記バルブ本体内に配され前記バルブ部材兼電機子を前記バルブ閉位置に向けて連続的に付勢するよう動作する付勢部材を有することを特徴とするソレノイド動作バルブ機構。
【請求項１１】
請求項１に記載のソレノイド動作バルブ機構であって、
前記バルブ部材兼電機子は、前記バルブ部材兼電機子の全長にわたって延びる均圧流路を有することを特徴とするソレノイド動作バルブ機構。
【請求項１２】
請求項１１に記載のソレノイド動作バルブ機構であって、
前記磁極片にわたって延び前記均圧流路と軸方向に中心合わせされた流体流路を有することを特徴とするソレノイド動作バルブ機構。
【請求項１３】
請求項１に記載のソレノイド動作バルブ機構であって、
前記バルブ部材兼電機子の弁体は弾性材を含むことを特徴とするソレノイド動作バルブ機構。
【請求項１４】
ソレノイド動作バルブ機構であって、
内部に配されたコイルを有するソレノイドケースと、
前記ソレノイドケースに接続され第一バルブシートを有するバルブ本体と、
前記ソレノイドケースに接続されて前記コイルにより生じる磁束を伝達するよう動作する磁極片と、
前記バルブ本体に螺合される軸方向に調整可能な保持具であって、前記保持具の端部は第二バルブシートを形成し、前記保持具の軸方向変位により前記第二バルブシートを前記第一バルブシートに対して軸方向に配置するよう動作するものと、
前記バルブ本体内に配され、前記弾性弁体を前記第一バルブシートに当接させる前記バルブ閉位置から前記弾性弁体を前記第二バルブシートに当接させるバルブ開位置に前記磁束によって移動可能な一体とされたバルブ部材兼電機子と、
前記流入ポートで加圧流体と連通する前記バルブ部材兼電機子の第一端部壁の第一表面領域と、
前記バルブ開位置において前記加圧流体と連通する前記第一端部壁に対向する前記バルブ部材兼電機子のラジアルフランジ部の端部壁とを備え、
前記第一表面領域は前記端部壁の表面領域とほぼ等しくされ、前記第一表面領域は、前記第一表面領域および前記端部壁の表面領域双方に前記加圧流体が作用することにより、前記バルブ開位置で前記バルブ部材兼電機子のバルブ開圧力均衡状態を形成することを特徴とするソレノイド動作バルブ機構。
【請求項１５】
請求項１４に記載のソレノイド動作バルブ機構であって、
前記バルブ本体中に形成され加圧流体を内部に有する流入ポートを有することを特徴とするソレノイド動作バルブ機構。
【請求項１６】
請求項１５に記載のソレノイド動作バルブ機構であって、
前記バルブ部材兼電機子に接続される前記弾性弁体であって、前記バルブ閉位置で前記弾性弁体を前記第一バルブシートに当接させ前記加圧流体と連通する第二表面領域を規定するものを備え、
前記第一表面領域は前記第二表面領域とほぼ等しくされ、前記第一表面領域は前記第一および第二表面領域双方に前記加圧流体が等しく作用することにより前記バルブ閉位置において圧力均衡状態を形成することを特徴とするソレノイド動作バルブ機構。
【請求項１７】
請求項１５に記載のソレノイド動作バルブ機構であって、
前記バルブ本体は、
シリンダポートと、
前記バルブ開位置で前記流入ポートと前記シリンダポートとの間を連通するシリンダポート流路とを有することを特徴とするソレノイド動作バルブ機構。
【請求項１８】
請求項１７に記載のソレノイド動作バルブ機構であって、
前記バルブ本体は、
排出ポートと、
前記バルブ部材兼電機子中のキャビティとして形成される排出ポート室とを備え、前記排出ポート室は前記バルブ閉位置において前記排出ポートと前記シリンダポートとを連通することを特徴とするソレノイド動作バルブ機構。
【請求項１９】
圧力均衡ソレノイド動作バルブ機構であって、
内部に配されたコイルを有するソレノイドケースと、
前記ソレノイドケースに着脱自在に接続され、流入ポートと第一バルブシートとを有するバルブ本体と、
前記バルブ本体に螺合される軸方向に調整可能な保持具であって、一端部が第二バルブシートを形成するものと、
前記バルブ本体内に摺動自在に配され、前記バルブ閉位置とバルブ開位置との間で前記コイルにより生じる磁束の存在下で移動可能な一体とされたバルブ部材兼電機子と、
前記加圧流体と前記流入ポートを介して連通する前記バルブ部材兼電機子の第一端部壁の第一表面領域と、
前記バルブ閉位置で前記加圧流体と連通する前記バルブ部材兼電機子の第二表面領域と、
前記バルブ開位置で前記加圧流体と連通する前記バルブ部材のラジアルフランジ部の端部壁とを有し、
前記第一表面領域は前記第二表面領域とほぼ等しくされ、前記第一表面領域は前記第一および第二表面領域双方に前記加圧流体が等しく作用することにより前記バルブ閉位置において圧力均衡状態を形成し、
前記第一表面領域は前記端部壁の表面領域とほぼ等しくされ、前記第一表面領域は、前記第一表面領域および前記端部壁の表面領域双方に前記加圧流体が作用することにより、前記バルブ開位置で前記バルブ部材兼電機子のバルブ開圧力均衡状態を形成することを特徴とする圧力均衡ソレノイド動作バルブ機構。
【請求項２０】
請求項１９に記載の圧力均衡ソレノイド動作バルブ機構であって、
前記ソレノイドケースに螺合され前記コイルにより生じる前記磁束を前記バルブ部材兼電機子に伝達するよう動作する軸方向に調整可能な磁極片を有することを特徴とする圧力均衡ソレノイド動作バルブ機構。
【請求項２１】
請求項２０に記載の圧力均衡ソレノイド動作バルブ機構であって、
前記磁極片の軸方向調整により、前記バルブ部材兼電機子が前記バルブ閉位置にある状態で、前記磁極片と前記バルブ部材兼電機子との間に形成される空隙が操作可能に制御され、前記空隙が前記バルブ部材兼電機子の全ストローク距離を規定し、かつ前記バルブ機構の開放時間を制御することを特徴とする圧力均衡ソレノイド動作バルブ機構。
【請求項２２】
請求項１９に記載の圧力均衡ソレノイド動作バルブ機構であって、
前記バルブ本体は、
シリンダポートと、
前記バルブ開位置で前記流入ポートと前記シリンダポートとの間を連通するシリンダポート流路とを有することを特徴とする圧力均衡ソレノイド動作バルブ機構。
【請求項２３】
請求項２２に記載の圧力均衡ソレノイド動作バルブ機構であって、
前記バルブ本体は、
排出ポートと、
前記バルブ部材兼電機子中のキャビティとして形成される排出ポート室とを備え、前記排出ポート室により前記バルブ閉位置において前記排出ポートと前記シリンダポートとが連通することを特徴とする圧力均衡ソレノイド動作バルブ機構。
【請求項２４】
請求項１９に記載の圧力均衡ソレノイド動作バルブ機構であって、
前記バルブ部材兼電機子は、さらに前記バルブ閉位置で前記第一バルブシートと当接し、前記バルブ開位置で前記第二バルブシートと当接する弾性弁体を有することを特徴とする圧力均衡ソレノイド動作バルブ機構。
【請求項２５】
請求項１９に記載の圧力均衡ソレノイド動作バルブ機構であって、
前記バルブ部材兼電機子を前記バルブ閉位置に向けて連続的に付勢するよう動作する付勢部材を有することを特徴とする圧力均衡ソレノイド動作バルブ機構。
【請求項２６】
請求項１９に記載の圧力均衡ソレノイド動作バルブ機構であって、
前記保持具を軸方向に変位することで前記第二バルブシートを前記第一バルブシートから軸方向に離れた距離に配するよう動作することを特徴とする圧力均衡ソレノイド動作バルブ機構。
【請求項２７】
ソレノイド動作バルブ機構であって、
内部に配されたコイルを有するソレノイドケースと、
前記ソレノイドケースに接続され流入ポートとバルブシートとを有するバルブ本体と、 
前記バルブ本体に螺合される軸方向に調整可能な保持具と、
前記ソレノイドケースに接続されて前記コイルにより生じる磁束を伝達するよう動作する磁極片と、
前記軸方向に調整可能な保持具内に摺動自在に配され、前記コイルにより生じる磁束によりバルブ閉位置とバルブ開位置との間で前記磁極片に向けて牽引される一体とされたバルブ部材兼電機子と、
前記バルブ部材兼電機子と前記軸方向調整可能な保持具との間に配され前記バルブ部材兼電機子と前記軸方向調整可能な保持具との間で流体シールを形成し、前記バルブ開位置および閉位置のいずれにおいても前記バルブ本体内の加圧流体が前記コイルに当接しないように動作するシール部材と、
前記流入ポートで加圧流体と連通する前記バルブ部材兼電機子の第一端部壁の第一表面領域と、
前記バルブシートと当接するとき前記バルブ閉位置で前記加圧流体と連通する第二表面領域を形成する第一側を有する弾性バルブ部材と、
前記バルブ閉位置において前記加圧流体と連通する前記バルブ部材のラジアルフランジ部の端部壁とを備え、
前記第一表面領域は前記端部壁の表面領域とほぼ等しくされ、かつ、前記第一表面領域は、前記第一表面領域および前記端部壁の表面領域双方に前記加圧流体が作用することにより、前記バルブ開位置でバルブ開均衡状態を形成することを特徴とするソレノイド動作バルブ機構。
【請求項２８】
請求項２７に記載のソレノイド動作バルブ機構であって、
前記バルブ本体は前記加圧流体を受ける流入ポートと第一バルブシートとを有することを特徴とするソレノイド動作バルブ機構。
【請求項２９】
請求項２８に記載のソレノイド動作バルブ機構であって、
前記保持具の端部は第二バルブシートを形成し、前記第二バルブシートは前記第一および第二バルブシート間の距離を変化させるよう軸方向に変位可能であることを特徴とするソレノイド動作バルブ機構。
【請求項３０】
請求項２９に記載のソレノイド動作バルブ機構であって、
前記バルブ部材兼電機子は、さらに弁体を有し、前記弁体は前記バルブ閉位置で前記第一バルブシートと当接し、前記バルブ開位置で前記第二バルブシートと当接することを特徴とするソレノイド動作バルブ機構。
【請求項３１】
請求項３０に記載のソレノイド動作バルブ機構であって、
前記流入ポートと連通するシリンダポートと、
少なくとも前記シリンダポートと連通する排出ポートとを有し、
前記シール部材が内部に配されるスロットは、前記コイルと、前記流入ポート、前記シリンダポートおよび前記排出ポートそれぞれとの間に配されることを特徴とするソレノイド動作バルブ機構。
【請求項３２】
請求項２７に記載のソレノイド動作バルブ機構であって、
前記バルブ部材兼電機子を摺動自在に受けるソレノイドブッシュであって、前記バルブ部材兼電機子と前記ソレノイドブッシュとの間に流路を形成するものと、
前記磁極片を前記ソレノイドケースに調整可能に接続するよう動作し、前記加圧流体を前記バルブ機構から大気に排出する流体排出流路を形成する螺合接続部と、を有し、
前記シール部材は前記流路と前記流体排出流路とを通じて前記加圧流体が流れるのを防止することを特徴とするソレノイド動作バルブ機構。
【請求項３３】
請求項２７に記載のソレノイド動作バルブ機構であって、
前記シール部材は前記バルブ部材兼電機子を中心として周方向に形成されるスロット中に配されることを特徴とするソレノイド動作バルブ機構。
【請求項３４】
圧力均衡ソレノイド動作バルブ機構であって、
内部に配されたコイルを有するソレノイドケースと、
前記ソレノイドケースに着脱自在に接続され、流入ポートと第一バルブシートとを有するバルブ本体と、 
前記バルブ本体に螺合される軸方向に調整可能な保持具であって、一端部が第二バルブシートを形成するものと、
前記バルブ本体内に摺動自在に配され、前記バルブ閉位置とバルブ開位置との間で前記コイルにより生じる磁束の存在下で移動可能な一体とされたバルブ部材兼電機子と、
前記加圧流体と前記流入ポートを介して連通する前記バルブ部材兼電機子の第一端部壁の第一表面領域と、
弁体であって、弾性を有する前記弁体が前記バルブシートと当接する時に前記バルブ閉位置で前記加圧流体と連通する第二表面領域を形成する第一側面を有するものと、
前記バルブ開位置において前記加圧流体と連通する表面領域を形成する前記弁体の端部壁とを有し、
前記第一表面領域は前記第二表面領域とほぼ等しくされ、前記第一表面領域は前記第一および第二表面領域双方に前記加圧流体が等しく作用することにより前記バルブ閉位置において圧力均衡状態を形成し、
前記第一表面領域は前記端部壁の表面領域とほぼ等しくされ、前記第一および前記端部壁の表面領域の双方に前記加圧流体が作用することにより前記バルブ開位置においてバルブ開圧力均衡状態を形成することを特徴とする圧力均衡ソレノイド動作バルブ機構。
【請求項３５】
ソレノイド動作バルブ機構であって、
ソレノイドケースと、
前記ソレノイドケースに接続される流入ポートを有するバルブ本体と、
前記ソレノイドケースに接続され磁束を伝達するよう動作する磁極片と、
前記バルブ本体内に摺動自在に配され、前記バルブ閉位置とバルブ開位置との間で前記コイルにより生じる磁束の存在下で移動可能な一体とされたバルブ部材兼電機子と、
前記流入ポートで前記加圧流体と連通する前記バルブ部材兼電機子の第一端部壁の第一表面領域と、
前記バルブ開位置において前記加圧流体と連通する前記第一端部壁に対向する前記バルブ部材兼電機子のラジアルフランジ部の端部壁とを備え、
前記第一表面領域は前記端部壁の表面領域とほぼ等しくされ、前記第一表面領域は、前記第一表面領域および前記端部壁の表面領域双方に前記加圧流体が作用することにより、前記バルブ開位置で前記バルブ部材兼電機子のバルブ開圧力均衡状態を形成し、
前記ソレノイドケースから径方向外側に延出し、前記バルブ機構をバルブ機構受け連結管の少なくとも一つの内部ねじに積極的に係合可能とする外部本体ねじを有することを特徴とするソレノイド動作バルブ機構。
【請求項３６】
請求項３５に記載のソレノイド動作バルブ機構であって、前記ソレノイドケースは前記外部本体ねじと前記内部ねじとの螺合係合中に前記バルブ機構が回転するのを補助するよう動作する一対の対向するレンチフラットを有することを特徴とするソレノイド動作バルブ機構。
【請求項３７】
請求項３５に記載のソレノイド動作バルブ機構であって、取付工具により係合可能とされた前記磁極片に形成されたスロット付端部をさらに有することを特徴とするソレノイド動作バルブ機構。